(57)【要約】【課題】従来の携帯ができるベルト式のマッサージ具は、両手で握り振動体を保持するために、手に負担を掛けて余分の力が必要である。  また、ベルト中央に振動器具を格納した振動器具があるためにベルト式にすると取り付け金具等のスペースが必要であり、足、手等の部位での使用に不便である。  振動を与えることのできる身体の部位も範囲が限定されており、任意の身体部位に振動を与えるものではない。【解決手段】  ゴム材ネット１は中空（袋状）のリング形状の伸縮体であり、内部に振動ユニット２と電池ボックス３を分割して保持している。  ゴム材ネット１を足、手等の身体部位に装着すると、振動ユニット２全体がしっかりとフィットした状態で部位に押し付けられて刺激等の効果が大きい。  また、振動ユニット２及び電池ボックス３はゴム材ネット１に内蔵され外観上目立たない。【選択図】図２
2008036380.tif 000002
【特許請求の範囲】
【請求項１】
振動ユニットと、電源と、前記振動ユニットおよび電源を内蔵する袋状伸縮体と、からなり、前記電源による前記振動ユニットの振動により、前記袋状伸縮体が振動することを特徴とする振動マッサージ器。
【請求項２】
前記袋状伸縮体はリング状で形成され、身体に装着されマッサージを行うことを特徴とする請求項１記載の振動マッサージ器。
【請求項３】
前記袋状伸縮体の少なくとも一端にバンドを設け、該バンドの取り付けにより前記袋状伸縮体が身体に装着されマッサージを行うことを特徴とする請求項１記載の振動マッサージ器。
【請求項４】
前記振動ユニットは、ケースと、モーターと、該モーターの回転軸に連結した偏心部材と、ハンマーとで構成されており、偏心部材の回転によりハンマーを打撃し、移動させることを特徴とする請求項１乃至３のうちいずれか１項に記載の振動マッサージ器。
【発明の詳細な説明】
【技術分野】
【０００１】  本発明は、身体をマッサージする、特に振動を発生して身体をマッサージするマッサージ器に関している。
【背景技術】
【０００２】  人の足の土踏まずにある壺を指圧することが健康に良いことは知られている。これは血流が促進され、足の疲労やむくみ、だるさ等のふかいな症状が改善され、内蔵機能が活発化されることによって疲労が早めに回復できると言われている。
そのために、足の裏を刺激するための健康器具、健康シューズ等が提案されている。また、機械的に振動等を発生し、足の裏に伝える動的健康促進器具が提案されている。【０００３】  機械的に振動等を発生する健康促進器具としては、ユーザが足に裏を乗せることが可能なような床面に設置され、上下方向に振幅を有するような振動する振動発生装置と、前記振動発生装置の周辺に設置され、前記振動発生装置の上に乗ったユーザが捕まることのできる手すり等を有しているものが提案されている。（例えば、特許文献１参照）【０００４】  また、携帯でき、振動器具を内蔵したベルト式のマッサージ具が提案されている。これは、伸縮自在のベルトの両側に握り部を設け、ベルト中央部の収納部に振動器具を内蔵するのである。（例えば、特許文献２参照）【０００５】  また、ベルト本体の背面側内面に、少なくとも一つの電動マッサージ体を固定式または着脱可能に備えたものが提案されている。（例えば、特許文献３参照）【０００６】
【特許文献１】  特開２００６−０２０６５１号公報
【特許文献２】  特開２００４−１８１１６９号公報
【特許文献３】  特開２００３−０００６６８号公報
【発明の開示】
【発明が解決しようとする課題】
【０００７】  しかし、従来例の足裏のマッサージ器では、固定式の装置であり、任意の場所で使用できるものではない。装置が大掛かりで場所をとり、価格も高くなってしまう。【０００８】  携帯ができるベルト式のマッサージ具は、両手で握り振動体を保持するために、手に負担を掛けて、余分の力が必要である。
また、ベルト中央に振動器具を格納した振動器具があるためにベルト式にすると取り付け金具等のスペースが必要であり、足、手等の部位での使用には不便である。【０００９】  ベルト本体の背面側内面に、少なくとも一つの電動マッサージ体を備えた従来例も、足、手等の小さい部位に装着するには、振動器具が大きく、また振動器具を保持したり、部位に装着したりするための金具等部品が邪魔になり、適用するのが困難である。【００１０】  この発明は、前記課題を解決するためになされたもので、足、手等の小さい部位にも装着できる振動マッサージ器を提供する。
任意の場所で使用でき、自由な姿勢で使用でき、体の色んな部位で装着して使用できる、コンパクトで低コストの振動マッサージ器である。
特に高齢者社会に入り、足や手の不自由な人が多くなるので、負担をかけずに装着し、寝たままでも足の土踏まずにある壺を刺激し健康の一助になる。
また、海外旅行などの旅行の途中でも、この振動マッサージ器を使えば、旅の疲れも解消することができる。
【課題を解決するための手段】
【００１１】  本発明に係わる振動マッサージ器は請求項１に記載のように、
振動ユニットと、電源と、前記振動ユニットおよび電源を内蔵する袋状伸縮体と、からなり、前記電源による前記振動ユニットの振動により、前記袋状伸縮体が振動することを特徴とする。【００１２】  また、請求項２に記載のように、
前記袋状伸縮体はリング状で形成され、身体に装着されマッサージを行うことを特徴とする。
また、請求項３に記載のように、
前記袋状伸縮体の少なくとも一端にバンドを設け、該バンドの取り付けにより前記袋状伸縮体が身体に装着されマッサージを行うことを特徴とする。【００１３】  また、請求項４に記載のように、
前記振動ユニットは、ケースと、モーターと、該モーターの回転軸に連結した偏心部材と、ハンマーとで構成されており、偏心部材の回転によりハンマーを打撃し、移動させることを特徴とする。
【発明の効果】
【００１４】  請求項１による発明の効果を説明する。
袋状伸縮体は弾性力があるため、振動ユニットや電源が簡単に伸縮体の内部に設置され、そして設置された後に振動ユニット等が伸縮体によりしっかりと保持され、片側に偏ることが無くバランスよく配置できる。
従来のように振動器や電池を装着部材に取り付けるための取り付け用の耳部及び孔加工等を必要とせず、装置全体がコンパクトで廉価な構造となる。【００１５】  また、袋状伸縮体はクッションの作用もあるので、振動ユニットが振動するときにクッションの作用でマッサージの効果がさらにアップすることができる。
また、袋状伸縮体を美観良くし仕上げするとファッションになる。
また、袋状伸縮体を通して振動が身体に伝わるので伸縮体の素材を選択すれば肌に感触の良い振動となる。
さらに、振動マッサージ器が小型で作られ、騒音が少ないので、使用中でも他人に気付かれなくどこでも自由に利用できる。【００１６】  請求項２による発明の効果を説明する。
袋状伸縮体はリング状で形成するので、伸縮自由で太さの異なる足、手等の部位に手軽に装着でき、また、装着後にも自由に装着位置を変えることができる。
そして、振動ユニットは身体の部位にしっかりとフィットした状態で押し付けられ振動による刺激等でのマッサージ効果が大きい。【００１７】  さらに、袋状伸縮体が振動ユニットの振動に追従して自由に変位して振動エネルギーの消費が少ない。すなわち、振動ユニットは袋状伸縮体の伸縮力や摩擦力等で保持されており、従来のバンド式のように引っ張り力で拘束されていない。引っ張り力等の拘束力が少ないので、小さな振動ユニットの振動でも身体の部位に効率良く振動が伝わる。
従来のバンド等での金具で取り合うと拘束力があり振動が弱くなる。【００１８】  電源は電池を使用するので、携帯式で外出先での利用も簡単であり、電車、航空機、オフィイス等で椅子に座りながら利用でき、さらに振動マッサージ器を例えば手に装着して利用しながら歩くこともできる。
また、ベッドに寝ながら足に装着し、足の土踏まずにある壺刺激して指圧効果があることは言うまでもない。【００１９】  請求項３による発明の効果を説明する。
袋状伸縮体の少なくとも一端にバンドを設け、該バンドの取り付けにより前記袋状伸縮体が身体に装着されマッサージを行うため、手、足より太い部位、例えば首や腰など身体の任意の部位にこの振動マッサージ器を装着して利用すると前記請求項２と同等の効果を得られる。【００２０】  請求項４による発明の効果を説明する。
モーターの回転により偏心部材が回転してハンマーを打撃すると、ハンマーは軸方向に上下運動を行い、袋状伸縮体を介して接触している足や手等身体の部位の壺をたたく。モーターの回転での振動によるマッサージに加え、ハンマーによる壺を指圧するような効果が得られる。
【発明を実施するための最良の形態】
【００２１】  発明を実施するための最良の形態について説明する。
【実施例１】
【００２２】  図１は、振動マッサージ器１００の装着状態の外観図である。
振動ユニット２と電源としての電池ボックス３とは、袋状伸縮体であるゴム材ネット１の内部に保持され足に装着されている。
ここで、ゴム材ネット１は袋状伸縮体の一例であるが、ゴム材ネットに限定せず、例えば綿とゴムで編んだ袋状の伸縮力があるものでもよい。
ゴム材ネット１の側面等に図示しない開口部を設け、該開口部から例えば電池ボックス３内の電池を出し入れすることができる。【００２３】  図２は、振動マッサージ器１００を構成する外観の説明図である。
ゴム材ネット１は中空（袋状）のリング形状の伸縮体であり、内部に振動ユニット２と電池ボックス３が配置されている。
この実施例では、振動マッサージ器１００をできるだけコンパクトにして、足、手等の小さな部位にも装着できるようにした例である。
そのために、振動ユニット２及び電池ボックス３を分割し、リング状ゴム材ネット１の周方向の対面に配置し、周方向の面積を有効に活用した。
これにより一部に装置がまとまり部分的に大きくなることを防いだ。【００２４】  また、ゴム材ネット１と振動ユニット２、及び電池ボックス３との取り合い部を設けることにより部品が増え、振動マッサージ器１００全体が大きく、また、重量が重くなるのを防ぐために、リング形状のゴム状の伸縮体で内部に振動ユニット２及び電池ボックス３を囲み伸縮力や摩擦力等で保持する構造とした。
これによって、振動ユニット２と電池ボックス３は伸縮体の部材に囲まれ保持されており、ゴム材ネット１の内部で圧縮力等を受けて固定されている。【００２５】  また、ゴム材ネット１を足、手等の身体部位に装着すると、ゴム材ネット１が広がるために大きな圧縮力が発生する。そうすると、振動ユニット２全体がしっかりとフィットした状態でゴム材ネット１を介して身体部位に押し付けられて振動による刺激等の効果が大きい。なお、ゴム材ネット１はクッションの作用もあり、振動時クッションの作用でマッサージの効果はさらに増加する。
そして、ゴム材ネット１は伸縮自由で足や手等の部位に装着しやすく、装着後にも簡単に装着位置を変えることができる。
また、振動ユニット２及び電池ボックス３はゴム材ネット１に内蔵され外観上目立たない。
ゴム材ネット１の外面に装飾布を施して腕等に装着するとファッションにもなり、腕に装着しながら携帯できる。
また、使用中でも他人に気付かれなく自由に利用できる。装飾布の素材を選択すれば肌に感触の良い振動ができる。【００２６】  図３は、振動マッサージ器１００の断面の説明図である。
モーター５の回転軸と連結した偏心部材７があり、モーター５の回転により振動を起す。
モーター５は、周方向をケース６に接して保持されている。
ケース６にモーター５が内接することにより内部補強部材の効果を持ち、ケース６の板厚を軽減できる。
また、モーター５の振動が効率良くケース６に伝播する。【００２７】  電池ボックス３の外面の一部にスウィッチ４の凸部がある。
ゴム材ネット１の外面から電池ボックス３を押さえるとスウィッチ４の凸が認識でき、スウィッチ４を押すと電源がはいり、モーター５が回転して振動を起す。
また、電池ボックス３と振動ユニット２との間の電線９をコイル状に巻き、ゴム材ネット１の伸縮に対応させている。【００２８】  図４は、図３のＡ−Ａ方向におけるＡ−Ａ断面の説明図である。
偏心部材７は回転軸８を通してモーター５と連結している。
また、モーター５はケース６により周囲を囲まれ保持されている。さらに、ケース６はゴム材ネット１により周囲を囲まれ保持されている。【００２９】  このように振動ユニット２と電池ボックス３は伸縮材であるゴム材ネット１に囲まれ保持されており、ゴム材ネット１の内部で圧縮力等や摩擦力にて固定されているだけであり、両端フリーの状態で水平の拘束力は小さい。
ゴム材ネット１は例えば足に装着すると、引っ張り力でゴム材ネット１が足のサイズに合わせて伸長するが、内部の振動ユニット２はゴム材ネット１に合わせて移動するだけで、振動ユニットに対する拘束力が小さく、振動した場合に振動を弱くすることはない。
また、振動ユニット２とゴム材ネット１の接触部分等が弾性性状を形成するのでゴム材ネット１が振動ユニット２の振動に追従して変位して振動エネルギーの消費が少ない。そのため振動ユニット２の振動が足や手等の身体部位に効果的に伝播し大きな刺激を与える。【００３０】  前記のような作用効果によりモーター５は例えば、マブチ製ＦＡ−１３０の小型モーター５で済み、振動ユニット２のサイズは２５ｍｍφ×４０ｍｍＬ程度になる。
前記モーター５の使用電池容量は１．５〜３Ｖ程度であり、単４電池２本を使用した電池ボックス３は２０ｍｍ×２５ｍｍ×６０ｍｍＬ程度の大きさになる。
振動ユニット２と電池ボックス３を内蔵するリング形状のゴム材ネット１のサイズは、３０ｍｍφ程度の中空断面で半径３５ｍｍ程度のリングとなる。
よって振動マッサージ器１００が非常にコンパクトで安価となり、足、手等の小さな部位にも装着できる。したがって、携帯式で外出先での利用も簡単であり、電車、航空機、オフィイス等で椅子に座りながら利用でき、さらに振動マッサージ器１００を例えば手に装着して利用しながら歩くこともできる。
また、ベッドに寝ながら足に装着し、足の土踏まずにある壺を刺激して指圧効果があることは言うまでもない。
また、モーター５が小さいので振動ユニット２の騒音も少ない。
【実施例２】
【００３１】  図５は、この発明の実施例２における振動マッサージ器２００を構成する外観の説明図である。
振動マッサージ器本体１０には、ゴム材ネット１と、内部に振動ユニット２と電池ボックス３が伸縮力や摩擦力等で保持される構造であり、ゴム材ネット１の両端がマジックテープ付きのバンドである。
また、ゴム材ネット１の外面に凸凹のシートを張り指圧効果を高めている。
なお、ゴム材ネット１の一端をバンドとして、ゴム材ネット１の一端に前記マジックテープを取り付けてもよい。
この実施例２によると、手、足より太い部位、例えば首や腰など身体の任意の部位にこの振動マッサージ器２００を装着して利用すると実施例１と同等の効果が得られる。
【実施例３】
【００３２】  図６、図７は、この発明の実施例３を示している。
図６は、振動マッサージ器３００の断面の説明図である。
図７は、図６のＢ−Ｂ方向におけるＢ−Ｂ断面の説明図である。
モーター５の回転軸８と連結した偏心部材７があり、モーター５の回転により振動を起す。
モーター５は、周方向をケース６に接して保持されている等は実施例１と同じである。
ケース６の片側の偏心部材７側には、周方向にハンマー１２が装備されている。
モーター５の回転により偏心部材７が回転し、ハンマー１２の端部を打撃する。
ハンマー１２は丸棒で両端が半球であり、丸棒部分がケース６の図示しない穴に嵌め合っており、軸方向に上下移動する。
ハンマー１２が偏心部材７により半球の端部を打撃された時に偏心部材７の反対の軸方向に上昇するので、ゴム材ネット１のハンマー１２部分が外側に押され、足、手等の部位をスポット的に押す。
実施例３では、モーターの回転により偏心部材が回転してハンマーを打撃すると、ハンマーは軸方向に上下運動を行い、袋状伸縮体を介して接触している足や手等身体の部位の壺をたたくものである。
モーターの回転による振動のマッサージ効果とハンマー１２による壺の指圧効果を得ることができる。
なお、ゴム材ネット１は弾性体であり、伸縮力によりハンマー１２は元の位置に戻る。
【図面の簡単な説明】
【００３３】
【図１】  振動マッサージ器１００の装着状態の外観図である。
【図２】  振動マッサージ器１００を構成する外観の説明図である。
【図３】  振動マッサージ器１００の断面の説明図である。
【図４】  図３のＡ−Ａ方向におけるＡ−Ａ断面の説明図である。
【図５】  振動マッサージ器２００を構成する外観の説明図である。
【図６】  振動マッサージ器３００の断面の説明図である。
【図７】  図６のＢ−Ｂ方向におけるＢ−Ｂ断面の説明図である。
【符号の説明】
【００３４】  １        ゴム材ネット
２        振動ユニット
３        電池ボックス
４        スウィッチ
５        モーター
６        ケース
７        偏心部材
８        回転軸
１０      振動マッサージ器本体
１１      バンド
１２      ハンマー
【図１】
2008036380.tif 000003
【図２】
2008036380.tif 000004
【図３】
2008036380.tif 000005
【図４】
2008036380.tif 000006
【図５】
2008036380.tif 000007
【図６】
2008036380.tif 000008
【図７】
2008036380.tif 000009